(57)【要約】【課題】予約情報を効率的に管理する。【解決手段】使用予約の対象となる空間である予約対象空間の前記使用予約に関する情報である予約情報を記憶する予約情報記憶部と、前記予約情報に基づいて撮像装置に撮像を実行させる撮像制御部と、前記撮像装置により撮像された画像に基づいて前記予約対象空間の使用状態を判定する使用状態判定部と、前記予約対象空間が未使用状態であると判定された場合に、前記予約情報の取り消しを実行する予約情報管理部と、を含むことを特徴とする。【選択図】図１
2017228134.tif 000002
【特許請求の範囲】
【請求項１】
使用予約の対象となる空間である予約対象空間の前記使用予約に関する情報である予約情報を記憶する予約情報記憶部と、
前記予約情報に基づいて撮像装置に撮像を実行させる撮像制御部と、
前記撮像装置により撮像された画像に基づいて前記予約対象空間の使用状態を判定する使用状態判定部と、
前記予約対象空間が未使用状態であると判定された場合に、前記予約情報の取り消しを実行する予約情報管理部と、
を含むことを特徴とする情報処理装置。
【請求項２】
前記画像の比較を行う画像比較部を含み、
前記撮像制御部は、 
前記予約情報に基づいて前記予約対象空間の使用が開始される前後に前記撮像を実行させ、
前記画像比較部は、
前記予約対象空間の使用が開始される前後においてそれぞれ撮像された前記画像の比較を実行し、
前記使用状態判定部は、
前記画像の比較の結果に基づいて前記予約対象空間の使用状態を判定することを特徴とする請求項１に記載の情報処理装置。
【請求項３】
前記使用状態判定部は、
撮像されたそれぞれの前記画像間での差分に基づいて前記使用状態を判定することを特徴とする請求項１または請求項２に記載の情報処理装置。
【請求項４】
前記予約情報の登録や取り消しが行われたことを通知する通知部を含むことを特徴とする請求項１ないし請求項３いずれか１項に記載の情報処理装置。
【請求項５】
使用予約の対象となる空間である予約対象空間の前記使用予約に関する情報である予約情報を記憶する予約情報記憶部と、
前記予約情報に基づいて撮像装置に撮像を実行させる撮像制御部と、
前記撮像装置により撮像された画像に基づいて前記予約対象空間の使用状態を判定する使用状態判定部と、
前記予約対象空間が未使用状態であると判定された場合に、前記予約情報の取り消しを実行する予約情報管理部と、
を含む
ことを特徴とする情報処理システム。
【請求項６】
使用予約の対象となる空間である予約対象空間の前記使用予約に関する情報である予約情報を記憶し、
前記予約情報に基づいて撮像装置に撮像を実行させ、
前記撮像装置により撮像された画像に基づいて前記予約対象空間の使用状態を判定し、
前記予約対象空間が未使用状態であると判定された場合に、前記予約情報の取り消しを実行することを特徴とする情報処理方法。
【発明の詳細な説明】
【技術分野】
【０００１】
本発明は、情報処理装置、情報処理システム、情報処理方法に関する。
【背景技術】
【０００２】
オフィス環境に設置されたＰＣ（Ｐｅｒｓｏｎａｌ  Ｃｏｍｐｕｔｅｒ）やサーバ等の情報処理装置は、ネットワークに接続され、複数のユーザで共有して使用する会議室などの予約を管理する予約情報管理システムとして使用されることがある。このようなシステムでは、ユーザがシステムを用いて所定の時間に会議室を予約し、予約時間に使用しない場合には、ユーザが手動で予約を取り消す必要がある。
【０００３】
このような予約情報管理システムにおいて予約済みの会議室が実際に使用されているかを人感センサや受信機を会議室に設置し、確認する技術がある（例えば、特許文献１参照）。特許文献１の技術では、ユーザによる会議室の使用状況を把握することが出来る。
【発明の概要】
【発明が解決しようとする課題】
【０００４】
しかし、特許文献１の技術では、予約の取り消しを手動で行う必要がある。そのため、会議室を使用しない場合であって予約したユーザが予約を取り消し忘れた場合には、他のユーザがその会議室を使用することが困難になってしまう。
【０００５】
本発明は、このような課題を解決するためになされたものであり、予約情報を効率的に管理することを目的とする。
【課題を解決するための手段】
【０００６】
上記課題を解決するために、本発明は、使用予約の対象となる空間である予約対象空間の前記使用予約に関する情報である予約情報を記憶する予約情報記憶部と、前記予約情報に基づいて撮像装置に撮像を実行させる撮像制御部と、前記撮像装置により撮像された画像に基づいて前記予約対象空間の使用状態を判定する使用状態判定部と、前記予約対象空間が未使用状態であると判定された場合に、前記予約情報の取り消しを実行する予約情報管理部と、を含むことを特徴とする。
【発明の効果】
【０００７】
本発明によれば、予約情報を効率的に管理することが出来る。
【図面の簡単な説明】
【０００８】
【図１】本発明の実施形態に係る予約情報管理システムの運用形態を示す図。
【図２】本発明の実施形態に係る情報処理装置のハードウェア構成を示す図。
【図３】本発明の実施形態に係る撮像装置のハードウェア構成を示す図。
【図４】本発明の実施形態に係る予約情報管理システムの機能構成を示す機能ブロック図。
【図５】本発明の実施形態に係る未使用状態の会議室を示す図。
【図６】本発明の実施形態に係る使用状態の会議室を示す図。
【図７】本発明の実施形態に係る他の未使用状態の会議室を示す図。
【図８】本発明の実施形態に係る会議室の予約状況を示す図。
【図９】本発明の実施形態に係る会議室の予約状況を管理する処理の流れを示すフローチャート。
【図１０】本発明の実施形態に係る会議室の予約状況の他の例を示す図。
【図１１】本発明の実施形態に係る予約状況を管理する処理の流れを示すフローチャート。
【図１２】本発明の実施形態に係る予約状況を管理する処理の流れを示すフローチャート。
【図１３】本発明の実施形態に係る予約状況を管理する処理の流れを示すフローチャート。
【図１４】本発明の実施形態に係る会議室の利用状況を示す図。
【図１５】本発明の実施形態に係る会議室の利用状況の他の例を示す図。
【発明を実施するための形態】
【０００９】
以下、図面を参照して、本発明の実施形態について説明する。本実施形態における予約情報管理システムとして、ＰＣもしくはサーバ、撮像装置であるカメラがネットワークを介して接続され構成されるシステムを例として説明する。尚、本実施形態において撮像装置は、全天球型の画像を撮影することが可能なカメラを例として説明を行うものの、会議室内に複数台のカメラを設置し、会議室内部を撮像する構成であってもよい。また、本実施形態における予約情報管理システムは、オフィスにおいて共有して使用する会議室などを予約管理する場合を例に説明を行う。
【００１０】
図１は、本実施形態に係る予約情報管理システム３の運用形態を示す図である。図１に示すように、本実施形態に係る予約情報管理システム３は、情報処理装置１、カメラなどの撮像装置２を含む。尚、撮像装置２は、予約対象空間である会議室４の内部を撮影可能な位置に設置される。また、撮像装置２は、全天球型の画像を撮像することが可能であり、会議室４内部の画像を３６０度撮像する。
【００１１】
情報処理装置１は、会議室４の利用予約を行うユーザが操作するＰＣなどの情報処理端末である。ＰＣの他に、スマートフォンやタブレット端末などの情報処理端末から利用予約を行う構成であってもよい。さらに、サーバなどの情報処理装置によって構成されていてもよい。
【００１２】
撮像装置２は、撮像機能および通信機能を備えた画像送信装置として機能する。また、撮像装置２は、撮像した画像を全天球型の画像に変換する画像処理機能を備えていてもよい。
【００１３】
次に、本実施形態に係る情報処理装置１のハードウェア構成について説明する。図２は、本実施形態に係る情報処理装置１のハードウェア構成を示すブロック図である。図２に示すように、本実施形態に情報処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０にはＬＣＤ（Ｌｉｑｕｉｄ  Ｃｒｙｓｔａｌ  Ｄｉｓｐｌａｙ）などの表示部６０、操作部７０及びルータなどの外部接続装置８０が接続されている。
【００１４】
ＣＰＵ１０は演算手段であり、情報処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。
【００１５】
Ｉ／Ｆ５０は、バス９０と各種のハードウェアやネットワーク等を接続し制御する。表示部６０は、ユーザが情報処理装置１の状態を確認するための視覚的ユーザインタフェースである。操作部７０は、ユーザが情報処理装置１に情報を入力するためのユーザインタフェースであり、本実施形態においては、タッチパネルやハードキー等によって構成される。外部接続装置８０は、情報処理装置１外部のネットワークに接続するためのルータやＵＳＢ（Ｕｎｉｖｅｒｓａｌ  Ｓｅｒｉａｌ  Ｂｕｓ）などの接続装置である。
【００１６】
このようなハードウェア構成において、ＲＯＭ３０やＨＤＤ４０もしくは図示しない光学ディスク等の記録媒体に格納されたプログラムがＲＡＭ２０に読み出され、ＣＰＵ１０がそれらのプログラムに従って演算を行うことにより、ソフトウェア制御部が構成される。このようにして構成されたソフトウェア制御部と、ハードウェアとの組み合わせによって、情報処理装置１の機能を実現する機能ブロックが構成される。
【００１７】
次に、本実施形態に係る撮像装置２のハードウェア構成について、図３を参照して説明する。図３は、本実施形態に係る撮像装置２のハードウェア構成を示すブロック図である。図３に示すように、本実施形態に係る撮像装置２は、ＣＰＵ２１、ＲＡＭ２２、ＲＯＭ２３、ＡＳＩＣ２４及びＩ／Ｆ２５がバス２９を介して接続されている。また、ＡＳＩＣ２４にはイメージセンサなどの撮像素子２６が接続され、Ｉ／Ｆ２５には、外部接続装置２８が接続される。
【００１８】
ＣＰＵ２１は演算手段であり、撮像装置２全体の動作を制御する。ＲＡＭ２２は、情報の高速な読み書きが可能な揮発性の記憶媒体であり、ＣＰＵ２１が情報を処理する際の作業領域として用いられる。ＲＯＭ２３は、読み出し専用の不揮発性記憶媒体であり、ファームウェアや各種の制御プログラムが格納されている。
【００１９】
Ｉ／Ｆ２５は、バス２９と各種のハードウェアやネットワーク等を接続し制御する。外部接続装置２８は、撮像装置２外部のネットワークに接続するためのルータやＵＳＢ（Ｕｎｉｖｅｒｓａｌ  Ｓｅｒｉａｌ  Ｂｕｓ）などの接続装置である。
【００２０】
このようなハードウェア構成において、ＲＯＭ２３もしくは図示しない記憶媒体などに格納されたプログラムがＲＡＭ２２に読み出され、ＣＰＵ２１がそれらのプログラムに従って演算を行うことにより、ソフトウェア制御部が構成される。このようにして構成されたソフトウェア制御部と、ハードウェアとの組み合わせによって、撮像装置２の機能を実現する機能ブロックが構成される。
【００２１】
次に、本実施形態に係る予約情報管理システム３の機能構成について図４を参照して説明する。図４は、本実施形態に係る情報処理装置１および撮像装置２の機能構成を示す機能ブロック図である。図４に示すように、本実施形態に係る情報処理装置１は、予約部１００、画像判定部１１０を含む。尚、予約部１００と画像判定部１１０がそれぞれ異なる情報処理装置に搭載されていても良い。
【００２２】
予約部１００は、通信制御部１０１、予約情報管理部１０２、予約情報記憶部１０３を含み、ユーザが会議室４を使用する時刻などの予約情報の管理を行う。通信制御部１０１は、予約部１００に送受信される情報を制御する。予約情報管理部１０２は、予約部１００に送受信される情報に基づいて、予約情報記憶部１０３に対して予約情報の登録や取り消しなどを行う。予約情報記憶部１０３は、予約情報が格納されるＨＤＤ４０などの記憶媒体である。
【００２３】
画像判定部１１０は、撮像制御部１１１、データ記憶部１１２、画像比較部１１３、使用状態判定部１１４、通信制御部１１５を含み、撮像装置２から受信した画像情報に基づいて、会議室４の使用状況を判断する。
【００２４】
撮像制御部１１１は、撮像装置２に対して画像情報を生成するための撮像を指示する。データ記憶部１１２は、撮像装置２から受信した画像情報が記憶されるＨＤＤ４０などの記憶媒体である。画像比較部１１３は、撮像装置２によって撮像された会議室４内の画像を比較し、比較対象となる画像において差分の有無を判定する。
【００２５】
使用状態判定部１１４は、画像比較部１１３が行った画像の比較結果に基づいて、会議室４が使用されているか否かを判断する。通信制御部１１５は、画像判定部１１０に送受信される情報を制御する。
【００２６】
撮像装置２は、撮像部２０１、画像処理部２０２、通信制御部２０３を含む。撮像部２０１は、撮像素子２６に会議室４内の画像を撮像させる。画像処理部２０２は、撮像された画像に対して補正などの画像処理を行う。通信制御部２０３は、撮像装置２に送受信される情報を制御する。
【００２７】
このように構成される予約情報管理システム３において、撮像装置２によって撮像された画像に基づいて会議室４の使用状況を判断し、会議室４の予約情報の管理を行うことが本発明の要旨である。次に、図５ないし図９を参照して、会議室４が使用されているか否かを判定する処理の流れについて説明する。
【００２８】
図５ないし図７は撮像装置２によって撮像された会議室４内の画像を示す図である。図５は、未使用状態の会議室４が撮像された画像、図６は、使用状態の会議室４が撮像された画像である。図５に示すように、未使用状態の会議室４を撮像した場合、テーブルや椅子などが含まれる画像が得られる。図６に示すように、使用状態の会議室４を撮像した場合、会議に参加する人物およびテーブルや椅子などが含まれる画像が得られる。
【００２９】
使用状態判定部１１４は、図５に示すような未使用状態の会議室４の画像を基準となる画像とし、図６に示すように、会議に参加する人物による画像の差分が発生した場合に会議室４が使用されていると判定する。尚、図７に示すように、会議室４に参加する人物が含まれていない場合であって、かつテーブルや椅子などが動かされた状態の画像が得られた場合に、使用状態判定部１１４は、会議室４は未使用状態であると判定する。
【００３０】
本実施形態においては、図５に示すような未使用状態の会議室４の画像を予め撮像し、データ記憶部１１２に記憶させる。そして、画像比較部１１３が撮像装置２によって撮像された画像との比較を行い、その比較の結果に基づいて使用状態判定部１１４が会議室４の使用状況を判断する。
【００３１】
次に図８および図９を参照して、本実施形態に係る会議室４の予約を管理する処理の流れについて説明する。図８は、本実施形態に係る予約情報の詳細を説明する図、図９は、本実施形態に係る会議室４の予約を管理する処理の流れを示すフローチャートである。
【００３２】
会議室４を使用するユーザは、予め、情報処理装置１を操作して、予約情報を入力する。図８では、会議が「３月１日の９：００から１０：００」の予定で予約された場合を例として説明を行う。ユーザが入力した予約情報は、予約情報管理部１０２によって予約情報記憶部１０３に記憶される（Ｓ９０１）。
【００３３】
撮像制御部１１１は、予約情報を予約情報記憶部１０３から取得し、予約情報に基づいて会議の開始時刻５分前に、撮像部２０１に撮像を行う命令情報を送信する（Ｓ９０２、事前撮像実行）。撮像部２０１は、命令情報に基づいて会議開始の５分前、すなわち「３月１日の８：５５」に撮像を行う。この時、図５に示すように未使用状態の会議室４の画像が撮像されたとして以後の説明を行う。
【００３４】
撮像部２０１によって撮像された画像情報は、通信制御部２０３によってデータ記憶部１１２に送信され、記憶される。次に、撮像制御部１１１は、予約情報に基づいて会議の開始時刻１０分後に撮像部２０１に撮像を行う命令情報を送信する（Ｓ９０３、撮像実行）。撮像部２０１は、命令情報に基づいて会議開始の１０分後、すなわち「３月１日の９：１０」に撮像を行う。
【００３５】
撮像部２０１によって撮像された画像情報は、通信制御部２０３によってデータ記憶部１１２に送信され、記憶される。画像比較部１１３は、会議の開始前後の画像情報を比較し、差分があるか否かを判定する（Ｓ９０４）。この時、画像比較部１１３は、会議に参加する人物に相当する画像の差分が検知されるか否かを比較の結果として使用状態判定部１１４に送信する。
【００３６】
使用状態判定部１１４は、画像比較部１１３から受信した比較の結果に基づいて、会議室４の使用状況を判定する（Ｓ９０５）。図６に示すように会議に参加する人物に相当する画像の差分が検知された場合（Ｓ９０５／Ｙｅｓ）、使用状態判定部１１４は、会議室４が使用されていると判定し、判定結果を予約情報管理部１０２に送信する。
【００３７】
図５もしくは図７に示すように、会議に参加する人物に相当する画像の差分が検知されない場合（Ｓ９０５／Ｎｏ）、使用状態判定部１１４は、会議室４が未使用状態であると判定し、判定結果を予約情報管理部１０２に送信する（Ｓ９０６）。
【００３８】
予約情報管理部１０２は、会議室４が未使用状態であるという判定結果を受信すると、予約情報記憶部１０３に記憶されている予約情報を「キャンセル」に更新し（Ｓ９０７）、予約がキャンセルされたことを示す情報を情報処理装置１に通知する（Ｓ９０８）。この時の通知の方法としては、情報処理装置１の表示部６０に表示させる方法、予約入力を行ったユーザにメールなどで通知する方法などを用いることができる。
【００３９】
予約情報管理部１０２は、会議室４が使用状態であるという判定結果を受信すると、予約情報記憶部１０３に記憶されている予約情報を「使用中」に更新し（Ｓ９０７）、本処理を終了する。
【００４０】
以上説明したように、本実施形態に係る予約情報管理システム３においては、会議室４内を撮像して得られた画像情報に基づいて会議室４の使用状況を判定し、その判定結果に応じて予約情報を管理する。そのため、予約された会議室４が使用されない場合であっても、その予約を自動的にキャンセルするため、予約の取り消し忘れなどを防ぐことができる。
【００４１】
また、同一の会議室４に連続して予約が登録されることがある。図１０は、本実施形態に係る予約情報を説明する他の例を示す図である。図１０においては、「３月１日の９：００」までに会議Ｃ、「３月１日の９：００から１０：００」までに会議Ｄが予約情報として予約情報記憶部１０３に記憶されている例を示している。
【００４２】
このような場合、本実施形態においては、図１１ないし図１３に示すフローチャートに示す処理を行うことによって、会議室４の使用状況に応じて予約情報を管理することが出来る。図１１ないし図１３は、本実施形態に係る予約情報を管理する他の処理の流れを示すフローチャートである。
【００４３】
まず、撮像制御部１１１は、予約情報管理部１０２に、予約情報の確認を実行させる（Ｓ１１０１）。予約情報管理部１０２は、予約情報を撮像制御部１１１に返信し、撮像制御部１１１は、現時刻が会議室４の使用時間であるか否か判定する（Ｓ１１０２）。
【００４４】
会議室４が使用される時間帯であって、次の会議室４の使用予約が連続して登録されている場合（Ｓ１１０２／ＹｅｓかつＳ１１０３／Ｙｅｓ）、撮像制御部１１１は、会議Ｃの終了時刻の５分前に撮像を実行させる命令情報を撮像部２０１に送信する（Ｓ１１０４）。撮像部２０１は、命令情報に従って撮像を実行し、撮像によって生成された画像情報は、撮像装置２から画像判定部１１０に送信される。
【００４５】
画像比較部１１３は、未使用状態の会議室４の画像と撮像によって生成された画像との比較を実行する（Ｓ１１０５）。使用状態判定部１１４は、それぞれの画像の比較の結果に基づいて会議室４が使用状態であるか否か判定する（Ｓ１１０６）。
【００４６】
会議室４が未使用状態である場合（Ｓ１１０６／Ｎｏ）、撮像制御部１１１は、次の会議の開始時刻の１０分後に、会議室４内の撮像を実行させる命令情報を撮像部２０１に送信する（Ｓ１２０１）。画像比較部１１３は、未使用状態の会議室４の画像と撮像によって生成された画像との比較を実行する（Ｓ１２０３）。使用状態判定部１１４は、それぞれの画像の比較の結果に基づいて会議室４が使用状態であるか否か判定する（Ｓ１２０４）。
【００４７】
Ｓ１２０４の処理において、会議室４が未使用状態であった場合（Ｓ１２０４／Ｎｏ）、使用状態判定部１１４は、会議室４が未使用状態であるという判定結果を予約情報管理部１０２に送信する。予約情報管理部１０２は、使用状態判定部１１４から取得した判定結果に基づいて予約情報記憶部１０３に記憶されている予約情報を取り消し（Ｓ１２０５）、予約を取り消した旨を表示部６０やユーザに通知して本処理を終了する。Ｓ１２０４の処理において、会議室４が使用状態であると判定された場合（Ｓ１２０４／Ｙｅｓ）、撮像制御部１１１は再度Ｓ１１０３から処理を実行する。
【００４８】
会議室４が使用状態である場合（Ｓ１１０６／Ｙｅｓ）、撮像制御部１１１は、所定の間隔で撮像を実行させる命令情報を撮像部２０１に送信する（Ｓ１１０７）。尚、所定の間隔で撮像された会議室４内の画像情報は、データ記憶部１１２に記憶される。
【００４９】
画像比較部１１３は、所定の間隔で撮像された会議室４内の画像情報とその直前に撮像された画像情報との比較を実行し（Ｓ１１０８）、使用状態判定部１１４は、それぞれの画像の比較の結果に基づいて会議室４が使用状態であるか否かを判定する（Ｓ１１０９）。
【００５０】
この時、撮像制御部１１１は、図１４に示すように、所定の間隔ａ、ｂ、ｃ、ｄ、ｅで撮像を実行させる命令情報を撮像部２０１に送信する。画像比較部１１３は、それぞれのタイミングにおいて撮像された画像とその直前のタイミングで撮像された画像とを比較し、使用状態判定部１１４は、会議室４が使用状態であるか否かを判定する。この時、例えば、間隔ａで撮像された画像ならＳ１１０４で撮像された画像、間隔ｃで撮像された画像なら間隔ｂで撮像された画像と比較を行う。
【００５１】
Ｓ１１０９の処理において、会議室４が未使用状態であると判定された場合（Ｓ１１０９／Ｎｏ）、撮像制御部１１１は、Ｓ１２０２のステップから同様の処理を実行する。
【００５２】
Ｓ１１０９の処理において、アラート時刻（例えば、次の会議室４の使用開始時刻の１分前）まで会議室４が使用状態である場合（Ｓ１１０９／ＹｅｓかつＳ１１１０／Ｙｅｓ）、使用状態判定部１１４は、予約情報管理部１０２にアラート時刻において会議室４が使用状態であることを通知する。予約情報管理部１０２は、情報処理装置１の表示部６０や該当する予約情報を登録したユーザに対して次の会議室４の使用開始時刻の１分前であることを通知する情報を送信する（Ｓ１１１１）。
【００５３】
撮像制御部１１１は、アラート通知が行われた後、会議室４の撮像を実行させる命令情報を撮像部２０１に送信する（Ｓ１１１２）。この時、撮像された会議室４内の画像情報は、データ記憶部１１２に記憶される。画像比較部１１３は、撮像された会議室４内の画像情報とＳ１１０７で撮像された会議室４内の画像情報との比較を実行し（Ｓ１１１３）、使用状態判定部１１４は、それぞれの画像の比較の結果に基づいて会議室４が使用状態であるか否かを判定する（Ｓ１２０１）。
【００５４】
会議室４が使用状態である場合（Ｓ１２０１／Ｙｅｓ）、使用状態判定部１１４は、予約情報管理部１０２に会議室４が使用状態であることを示す情報を送信する。予約情報管理部１０２は、会議室４が使用状態であることを示す情報を受信すると、情報処理装置１の表示部６０や該当する予約情報を登録したユーザに対して、使用延長登録の実行を要求する情報を送信し（Ｓ１２０６）、本処理を終了する。従って、予約情報管理部１０２は、通知部としても機能する。
【００５５】
尚、本実施形態に係る「使用延長登録」とは、予約時間を超えて会議室４を使用するユーザが存在する場合に、そのユーザが登録した予約情報において、「予約時間を更新する」もしくは「別の会議室を使用する」などの操作を実行することを示す。
【００５６】
会議室４が使用される時間帯ではない場合（Ｓ１１０２／Ｎｏ）撮像制御部１１１は、取得した予約情報に基づいて、所定時間の経過後、例えば次の使用開始時刻の５分前などに会議室４内の撮像を実行させる命令情報を撮像部２０１に送信する（Ｓ１３０１）。また、次の会議室４の使用予約が連続して登録されてない場合（Ｓ１１０３／Ｎｏ）にも、撮像制御部１１１は、取得した予約情報に基づいて、所定時間の経過後、に会議室４内の撮像を実行させる命令情報を撮像部２０１に送信する（Ｓ１３０１）。
【００５７】
画像比較部１１３は、撮像された画像と未使用状態の会議室４内の画像との比較を実行する（Ｓ１３０２）。使用状態判定部１１４は、それぞれの画像の比較の結果に基づいて会議室４が使用状態であるか否か判定する（Ｓ１３０３）。図１５に示すように会議室４の使用予約開始時刻の前から会議室４が使用状態である場合（Ｓ１３０３／Ｙｅｓ）、この場合、予約情報管理部１０２は、予約情報を「使用中」に更新し、撮像制御部１１１は、Ｓ１１０３から同様の処理を実行する。
【００５８】
会議室４が未使用状態である場合（Ｓ１３０３／Ｎｏ）、撮像制御部１１１は、会議室４の使用開始時刻の１０分後に会議室４内の撮像を実行させる命令情報を撮像部２０１に送信する（Ｓ１３０４）。画像比較部１１３は、撮像された画像とＳ１３０２で撮像された会議室４内の画像との比較を実行する（Ｓ１３０５）。使用状態判定部１１４は、それぞれの画像の比較の結果に基づいて会議室４が使用状態であるか否か判定する（Ｓ１３０５）。
【００５９】
会議室４が使用状態である場合（Ｓ１３０６／Ｙｅｓ）、予約情報管理部１０２は、予約情報を「使用中」に更新し、撮像制御部１１１は、Ｓ１１０３から同様の処理を実行する。会議室４が未使用状態である場合（Ｓ１３０６／Ｎｏ）、使用状態判定部１１４は、予約情報管理部１０２に会議室４が未使用状態であることを示す情報を送信する。予約情報管理部１０２は、会議室４が未使用状態であることを示す情報を受信すると、該当する予約情報の取り消しを実行し（Ｓ１２０５）、本処理を終了する。
【００６０】
尚、撮像装置２が顔認識機能を搭載している場合であって、図１５に示すように、会議室４の使用開始時刻よりも前に会議室４が使用されている場合、Ｓ９０４の処理において顔認識がされるか否かによって使用状態を判定してもよい。例えば、図８に示す予約情報において「３月１日の８：４５」から会議室４の使用が開始された場合、Ｓ９０４の処理において、会議に参加する人物に相当する画像の差分が検知されないことがある。
【００６１】
このような場合に、撮像装置２に搭載されている顔認識機能を用いることによって、Ｓ９０２およびＳ９０３で撮像された会議室４内の画像において、顔認識がなされた場合には、Ｓ９０５の処理において、会議室４が使用状態であると判定される。
【００６２】
以上説明したように、本実施形態に係る予約システムにおいては、予約対象空間である会議室４内の画像を所定のタイミングにおいて撮像し、それぞれの画像を比較した結果に基づいて会議室４が使用されているか否かを判定する。そのため、従来、ビデオ撮影など連続的な撮像方法を用いる場合と比較して、撮像データを記憶するための記憶領域を少なくすることが出来る。また、会議室４内の音声も録音されないため、会議の内容などが外部に流出することを低減することも可能である。
【００６３】
さらに、予約時間が経過しても会議室４が使用されていない場合、本実施形態に係る予約システムにおいては、ユーザの操作を必要とすることなく、自動的に該当する予約の取り消しを行う。そのため、ユーザによる予約のキャンセル操作が行われない場合であっても、会議室４の使用スケジュールを調整し、会議室４を有効活用することが出来る。
【符号の説明】
【００６４】
１  情報処理装置
２  撮像装置
３  予約システム
４  会議室
１０、２１  ＣＰＵ
２０、２２  ＲＡＭ
３０、２３  ＲＯＭ
４０  ＨＤＤ
５０、２５  インタフェース
６０  ＬＣＤ
７０  操作部
８０、２８  外部接続装置
９０、２９  バス
１００  予約部
１０１  通信制御部
１０２  予約情報管理部
１０３  予約情報記憶部
１１０  画像判定部
１１１  撮像制御部
１１２  データ記憶部
１１３  画像比較部
１１４  使用状態判定部
１１５  通信制御部
２０１  撮像部
２０２  画像処理部
２０３  通信制御部
【先行技術文献】
【特許文献】
【００６５】
【特許文献１】特開２０１４−１８２４０８号公報
【図１】
2017228134.tif 000003
【図２】
2017228134.tif 000004
【図３】
2017228134.tif 000005
【図４】
2017228134.tif 000006
【図５】
2017228134.tif 000007
【図６】
2017228134.tif 000008
【図７】
2017228134.tif 000009
【図８】
2017228134.tif 000010
【図９】
2017228134.tif 000011
【図１０】
2017228134.tif 000012
【図１１】
2017228134.tif 000013
【図１２】
2017228134.tif 000014
【図１３】
2017228134.tif 000015
【図１４】
2017228134.tif 000016
【図１５】
2017228134.tif 000017